(57)【特許請求の範囲】
【請求項１】
外筒（１０）を有し内部に地下流体を採取するための装置を収納する地化学サンプラーであって、
前記外筒内底部に位置して設けられ地層（２）から採水口（１５）を介して導入される前記地下流体を内部にのみ通過させるための第１逆止弁（１７）と、
前記第１逆止弁に連結され前記逆止弁を通過した前記地下流体を貯蔵する室を構成し、かつ内部に前記地下流体と反応させるための鉱物サンプル（１９）を収納する鉱物流体反応ユニット（１１）と、
前記鉱物流体反応ユニットに第１開閉弁（２１，２２）を介して連結され、前記地下流体を貯蔵する室を構成する流体採取ユニット（１２）と、
前記流体採取ユニットに第２開閉弁（２５，２６）を介して連結され、前記流体採取ユニットを通過した前記地下流体を貯蔵する室を構成するバッファユニット（１３）と、
前記バッファユニットに接続され前記バッファユニットの前記地下流体を外部に流出させないための第２逆止弁（２９）と、
前記第２逆止弁を介して、圧力制御可能な不活性ガス供給体（３３）から不活性ガスを供給するためのチューブ（３２）と
からなる地化学サンプラー。
【請求項２】
請求項１に記載された地化学サンプラーにおいて、
前記第１開閉弁（２１，２２）は、前記鉱物流体反応ユニットと前記流体採取ユニットとの間に設けられ、前記各ユニットの端部に直列で２連の構成で配置されていることを特徴とする地化学サンプラー。
【請求項３】
請求項１に記載された地化学サンプラーにおいて、
前記第２開閉弁（２５，２６）は、前記流体採取ユニットと前記バッファユニットとの間に設けられ、前記各ユニットの端部に直列で２連の構成で配置されていることを特徴とする地化学サンプラー。
【請求項４】
請求項１に記載された地化学サンプラーにおいて、
前記第２逆止弁（２９）は、前記バッファユニット内に配置されていることを特徴とする地化学サンプラー。
【請求項５】
請求項１に記載された地化学サンプラーにおいて、
前記不活性ガスは、ヘリウムガスであることを特徴とする地化学サンプラー。
【請求項６】
請求項１に記載された地化学サンプラーにおいて、
前記鉱物流体反応ユニットと流体採取ユニットとは、前記対向する２連の第１開閉弁間に着脱自在の第１接続部（２４）を設けて連結されていることを特徴とする地化学サンプラー。
【請求項７】
請求項１に記載された地化学サンプラーにおいて、
流体採取ユニットと前記バッファユニットとは、前記対向する２連の第２開閉弁間に着脱自在の第２接続部（２８）を設けて連結されていることを特徴とする地化学サンプラー。
【請求項８】
請求項１に記載された地化学サンプラーにおいて、
前記第１逆止弁と前記採水口との間にフィルタ（１６）を設けたことを特徴とする地化学サンプラー。
【請求項９】
請求項１に記載された地化学サンプラーにおいて、
前記チューブ（３２）は、高圧と低圧の異なる圧力の不活性ガスを供給するチューブであることを特徴とする地化学サンプラー。
【発明の詳細な説明】
【技術分野】
【０００１】
本発明は、地下流体の採取のための地化学サンプラーに関する。更に詳しくは、ボーリング孔に挿入された後に地下流体を空気に触れることなく採取し、又、地下の特性状態を維持し被圧状態を保持したまま、地下流体と鉱物供試体との反応を可能とする地化学サンプラーに関する。
【背景技術】
【０００２】
地層や地下水の調査のため地下水等を採取し、その試験を行うことは広く行われている。特に地下水採取の位置が深度に達する場合には、ボーリング孔を掘削し、その掘削したボーリング孔内に採水装置を挿入し、地下水を採取し試験に供している。この採水試験の目的は、地下水中の溶在イオン等の地球化学的特性を調べることにあり、例えばCO2の地中貯留に関わるデータを得る等のことが行われている。最近は地球温暖化に伴う環境対策の一環でCO2を減じるための方策が種々行われている。
【０００３】
CO2は、種々の形態から発生しており、特にエネルギー分野から多く発生している。特に日本の場合、CO2の３０％は火力発電所から発生しているといわれている。このようなことから、これらCO2を地下深部の帯水層へ、即ちシール層やキャップロック層の下側に貯留させることにより、地上のCO2を減らすことができるので有効であるとの研究が世界的になされている。帯水層へCO2を貯留させるということは、地層の透水層の下に存在する帯水層にCO2を圧力注入し、CO2をガス状に又は水中に酸性のCO2飽和溶解溶液へとして溶解させ、圧入停止後も帯水層に長期間隔離できるということにある。
【０００４】
通常、帯水層の温度は、比較的低いため、注入されたCO2は岩石と反応しないでその状態を維持し続けることができるとされている。CO2を地中貯留させるためには、前述のように地層条件が満たされていることが必要となる。又、CO2と岩石の反応は、高温ほど速いといわれ、炭酸塩鉱物は沈殿しやすい。このため、地熱地域など温度の高い地中に注入するとCO2は岩石中のＣａ等と反応し炭酸塩が生成され、CO2の固定化が促進されることになる。
【０００５】
更に、地中に注入された排ガスを、地中からCO2の除去された排ガスとして回収し、そのまま大気に放出することができる構成のものが知られている。この関係の技術で深部帯水層の地下水を揚水井から地上に汲み上げて、その地下水にCO2を気泡にして加え、地中に注入する際脈動圧を加えて圧入し、注入される水にCO2を混合又は溶解させて浸透性や拡散性を向上させた気液混合流体を作る対策案も開発されている（例えば、特許文献３参照）。
【０００６】
これによると、CO2を微細気泡又は超臨界流体として溶け込ませる場合、深部帯水層の圧力と温度のもとで、水１m3に対しCO2は５０ｋｇ溶解し拡散させることができるとしている。CO2の気体換算で２５m3である。試験の一部として、方解石結晶成長試験がなされ、CO2の炭酸塩鉱物としての固定化された状況を方解石結晶の成長速度、温度等の度合いをみて確認することも行われている。
【０００７】
この例として、単独の収納容器の構成ではあるが、岩石の浸漬反応装置として、岩石をCO2飽和溶解溶液に浸漬して岩石の反応を検証し、CO2地中貯留における実環境への影響を評価する装置が開示されている（例えば、特許文献４参照）。このような背景から、地中の地下水の水質状態を調査する目的のため地下水を採取する装置等も種々開発がなされている。本出願人の提案であるが、ボーリング孔内に挿入し地下流体を採水する装置として、mineral sampleとfluid samplerを設けた構成のゾンデが開示されている。（非特許文献１参照）このゾンデには、ラプチャーディスクが使用され、このラプチャーディスクの破壊により地下流体をゾンデ内に導入するようになっている。
【０００８】
例えば、ボーリング孔に挿入した採水パイプに気密保持可能な採水タンクを接続し、それら採水パイプ及び採水タンクの内部を不活性ガスに置換した後に、採水パイプの下端部に不活性ガスを加圧状態で吹き込み、採水パイプ内で不活性ガスの気泡を上昇させることで、地下水を地上側へ吹き飛ばし揚水し、採水タンクに導くようにした採水構成のものが知られている（例えば、特許文献１参照）。
【０００９】
又、地上でバルブを開いて貯水部内に外気を導入してバルブを閉じ、貯水部を気室とした本体を昇降手段により地下孔の地下水中に吊り降ろし、所定深さ位置でバルブを開き空気を抜いて地下孔内の地下水のみを採水する構成のものも知られている（例えば、特許文献２参照）。又、地下水の採水技術として、ダブルパッカー方式にしてパッカー内に地下水を閉塞状態で保持し、これをポンプで汲み上げ採水する技術等も知られている。
【先行技術文献】
【特許文献】
【００１０】
【非特許文献１】"Science Direct" Energy Procedia 1 ( 2009)3683-3689 "A concept of CO2 Georeactor sequestration at the Ogachi HDR site, NE Japan"
【特許文献１】特開平８−１９９９６５号公報
【特許文献２】特開２００７−２５５１３７号公報
【特許文献３】特開２００８−３０７４８３号公報
【特許文献４】特開２００９−５６４１７号公報
【発明の概要】
【発明が解決しようとする課題】
【００１１】
前述したように、地中の条件が満たされていないと地中へCO2の注入はできない。従って、地下水の採水を行っての水質検査、試験等のチェックは欠かせない。ゾンデと称されるこれらの装置を地中に挿入し確実に所定位置の地下水の状態を把握しなければならないが、従来の装置は採水したサンプルが空気に接触する場合が多く正確性を欠き、正確な水質調査を行う上では、難点があった。
【００１２】
本発明に関わる採水装置の技術として限定すると、特許文献１の技術は不活性ガスとして窒素を使用しているものであるが、不活性ガスの気泡を上昇させることで地下水を採水するものであり、更に採水パイプと不活性ガス供給パイプと個別に設けられパイプ構成が二重になっている。採水は地上の採水タンクから行う構成で採水のみの装置である。
【００１３】
特許文献２の技術は、バルブを有し開閉制御のできるものであり、フィルタ、逆流防止弁の設けられた構成ではあるが、電気配線、センサを内臓した装置であり、構成が複雑であり、その装置も採水のみの装置である。又採水されたサンプルは必ずしも深度の所定位置のものであると特定できない難点がある。
【００１４】
特許文献４の技術は、CO2地中貯留における評価に用いられるものではあるが、ボーリング孔内の特定位置での採水反応をみるものではない。あくまで予測するための反応試験を目的としており、必ずしも特定位置の状況に合う正確なものとはいえない。又、ポンプを使用して採水する例も多いが、この場合は地中深度が深いと、揚程が不足し使用できない難点がある。
【００１５】
いずれの場合もサンプラーとしては、地中で鉱物との反応をさせる装置を含むものではない。ゾンデとも称するサンプラー内に所要位置の流体を導入する際、ラプチャーディスクを使用し、このディスクの破壊により流体を導入する方法も開示されている。このラプチャーディスクは、種々のものが提案されているが、例えば火花放電装置等によって、火薬に着火して圧力波を発生させて破壊するものである。ゾンデに適用した例は、ゾンデを地中に挿入後に、地下水導入部に設けられたこのラプチャーディスクを、水圧による圧力差で破壊し、その位置の地下水をゾンデ内に導入する方式である。
【００１６】
本発明の出願人も試みたが、地中深度により正確な圧力差の設定が難しく、破壊位置が必ずしも当初予定の所要位置であるとは限らない場合があった。このため安定的に所要の深度の地下水を採水できない難点があった。又、流体導入時に瞬間的な差圧が生じ、流体が気液分離する等の問題点も生じていた。従って、ラプチャーディスクの破壊上の不安定から、このラプチャーディスクを流体導入位置に設け、流体をゾンデ内に流入させる正確な深度を把握する上では、難しい課題があった。
【００１７】
いずれにしても、CO2の地下貯留においては、確実で安定した状態が維持できる流体のデータが得られるものでなければならない。そのためにどうしても現場の所要位置で直接採取のできる正確な流体の採取装置が必要とされる。本発明はこのような技術背景のもとに創案されたもので、次の目的を達成するものである。
【００１８】
本発明の目的は、地中の所要位置の地中流体サンプルの採取を不純物の侵入なく確実に採取できるようにした地化学サンプラーの提供にある。
本発明の他の目的は、地中の所要位置で地下水による鉱物流体反応を可能とする地化学サンプラーの提供にある。
【課題を解決するための手段】
【００１９】
本発明は、前記目的を達成するために次の手段をとる。
本発明１の地化学サンプラーは、外筒を有し内部に地下流体を採取するための装置を収納する地化学サンプラーであって、前記外筒内底部に位置して設けられ地層からの前記地下流体を内部方向にのみ流通させるための第１逆止弁と、前記第１逆止弁に連結され前記逆止弁を通過した前記地下流体を貯蔵する室を構成し、かつ内部に前記地下流体と反応させるための鉱物サンプルを収納する鉱物流体反応ユニットと、前記鉱物流体反応ユニットに第１開閉弁を介して連結され、前記地下流体を貯蔵する室を構成する流体採取ユニットと、前記流体採取ユニットに第２開閉弁を介して連結され、前記流体採取ユニットを通過した前記地下流体を貯蔵する室を構成するバッファユニットと、前記バッファユニットに接続され前記バッファユニットの前記地下流体を外部に流出させないための第２逆止弁と、前記第２逆止弁を介して、圧力制御可能な不活性ガス供給体から不活性ガスを供給するためのチューブとからなっている。
【００２０】
本発明２の地化学サンプラーは、本発明１において、前記第１開閉弁は、前記鉱物流体反応ユニットと前記流体採取ユニットとの間に設けられ、前記各ユニットの端部に直列で２連の構成で配置されていることを特徴とする。
本発明３の地化学サンプラーは、本発明１において、前記第２開閉弁は、前記流体採取ユニットと前記バッファユニットとの間に設けられ、前記各ユニットの端部に直列で２連の構成で配置されていることを特徴とする。
【００２１】
本発明４の地化学サンプラーは、本発明１において、前記第２逆止弁は、前記バッファユニット内に配置されていることを特徴とする。
本発明５の地化学サンプラーは、本発明１において、前記不活性ガスは、ヘリウムガスであることを特徴とする。
【００２２】
本発明６の地化学サンプラーは、本発明１において、前記鉱物流体反応ユニットと流体採取ユニットとは、前記対向する２連の第１開閉弁間に着脱自在の第１接続部を設けて連結されていることを特徴とする。
本発明７の地化学サンプラーは、本発明１において、流体採取ユニットと前記バッファユニットとは、前記対向する２連の第２開閉弁間に着脱自在の第２接続部を設けて連結されていることを特徴とする。
【００２３】
本発明８の地化学サンプラーは、本発明１において、前記第１逆止弁と前記採水口との間にフィルタを設けたことを特徴とする。
本発明９の地化学サンプラーは、本発明１において、前記チューブは、高圧と低圧の異なる圧力の不活性ガスを供給するチューブであることを特徴とする。
【発明の効果】
【００２４】
本発明の地化学サンプラーは、不活性ガスの圧力を利用し、地中所要位置の地下流体を採取し、採取と同時に鉱物流体反応を行わせる試験を可能とするサンプラーとした。この結果、本構成により気液分離の影響がなくなり、地下流体の試験を正確な地中位置でのデータで行うことができるようになった。
【図面の簡単な説明】
【００２５】
【図１】図１は、本発明に関わる地化学サンプラーの構成図である。
【図２】図２は、二酸化炭素の地中貯留状態を模式的に示した断面図である。
【発明を実施するための形態】
【００２６】
以下、本発明の実施の形態を、図面に基づいて詳細に説明する。図１は本発明の地化学サンプラー１（以下「サンプラー１」という。）を示した構成図である。図２は、本発明のサンプラー１を適用する二酸化炭素（以下「CO2」という）の地中貯留の形態を模式的に示した断面図である。先ず本発明の理解を容易にするため、図２によりCO2地中貯留の形態を説明する。
【００２７】
CO2の貯留構成は、深部帯水層２から地上の施設を介して地下流体である地下水（一般に地下水は水のみを称しているが、本説明においては水以外の物質をも含む地下流体として定義する。）を汲み上げ（汲み上げのためのシステム、装置は図示せず。）、この汲み上げた地下水に、CO2発生源３からのCO2を気体圧入の形で気液混合させ、注入井４を介して矢印で示すように地中に注入し、CO2を地中に貯留させる形態のものである。CO2の地中貯留形態は種々あるので、これに限定されるものではない。CO2は、前述のように種々の形態で発生する。例えば、火力発電所、ごみ焼却施設、その他に石油、セメント分野等の精製施設等のCO2発生源３から発生する。特に、排出量が多いのは、火力発電所である。
【００２８】
このため、火力発電所で発生する排ガスからCO2を回収する技術も開発されている。いずれにしても、発生するCO2の量を少なくしていくことは、地球環境問題を解決する主要テーマとなっている。このため、一般的にCO2の量を少なくする方法として化学吸収法の活用もなされているが、火力発電所のように大量に排ガスを発生させる場合のケースには適用が困難である。このため、CO2を地中に貯留することが世界的に注目され、そのための技術もそれなりに種々開発されている。
【００２９】
図２に示すように、深度帯水層２は、キャップロックと呼ばれる不透水層５の下にあり、この層は細かい砂状の層からなっている。この帯水層は多数の層をなしているが、図は省略し一層で表示している。一般的には、塩水で飽和された地層で、その地下水は水資源としては利用されないものである。この層にCO2を注入することで、このCO2を帯水層２へ浸透、拡散させ、地下水と溶解し貯留させるのである。このCO2は、溶解により気体又は超臨界流体の固まり６として、地中に存在することになる。
【００３０】
即ち、CO2をガス又は地層水中に溶解して長期間貯留させるというものである。CO2は、特に微細化したものは岩石の隙間に侵入したり、又岩石の表面に吸着されたり、又、地下水にも溶解していく。溶解したCO2は、イオン化し周囲の鉱物と反応し地下水中で炭酸塩化合物７となり、沈殿物として固定化されることになる。CO2と岩石の反応速度は、高温の方が速いといわれ、結果的に速く炭酸塩鉱物が生成され、このような形態のものは沈殿しやすいといわれている。
【００３１】
このため、例えば火力発電所等からの排ガスを高温の地中に注入すると、岩石中のＣａ等との反応で炭酸塩鉱物が生成され、結果的にCO2の固定化となるのである。帯水層２から汲み上げた地下水を注入水として利用するのは、前述のようにイオンを多く含むことで有効である。図２に示したように、CO2は帯水層２に注入され拡散し固定化される。
【００３２】
このCO2注入の状況をチェックするために設けられたのが観測井８である。この観測井８は、深度の深い場合には、ボーリング孔９の掘削されたものである。掘削後のボーリング孔９に採水装置であるサンプラー１を挿入し、地下水の採水等が行われる。採水した地下水等は、地上に回収した後にそれを試料として試験が行われる。端的にいうと、地中の炭酸塩鉱物がどの程度成長し固定化されているか等、CO2注入後の状態を検証するためのものである。又、圧入したCO2が不透水層５をすりぬけて地表に漏れ出ることの確認も必要となる。
【００３３】
本発明はこのサンプラー１に関わるものである。次に、図１によりその構成を詳細に説明する。図１は、本発明の実施の形態を示すサンプラー１の構成を模式的に表した構成図である。このサンプラー１は、前述のように図２の観測井８のボーリング孔９にチューブで吊り降ろされて、地下水を採水するためのものである。図示はしていないが、この構成図のサンプラー１の地上側端部には取り付け部が設けられ、この取り付け部にチューブが取り付けられ、ボーリング孔９内にこのチューブを介して、このサンプラー１は地上に設置された昇降装置３４により昇降自在に構成されている。
【００３４】
サンプラー１の本体の外側は、内部空洞の円筒状の外筒体１０である。外筒体１０は、内部に各装置を内蔵し、この各装置の全体を覆っている。従って、このサンプラー１の主要装置は、すべて外筒体１０内に組み込まれ収納されている。主要装置は、地中側から順に鉱物流体反応ユニット１１と、流体採取ユニット１２と、バッファユニット１３とであり、これらは直列状に配列されている。各ユニット間は、導管で互いに連結されている。鉱物流体反応ユニット１１の下端は、円錐形状体１４をなし、ボーリング孔９へのサンプラー１の挿入を容易にする形状とし、又、この円錐形状体１４はウェイトの機能をも有している。
【００３５】
又、この円錐形状体１４の上部には採水口１５が設けられ、図１の矢印で示すように地中の地下水をこの位置で導入できるようになっている。この採水口１５の上部には、フィルタ１６と第１逆止弁１７がセットの形で設けられている。フィルタ１６は、流入する地下水中の所定以上の大きさの岩石等を濾過するためのものである。採水口１５から採水された地下水は、このフィルタ１６を介して導入され第１逆止弁１７を通して、鉱物流体反応ユニット１１の貯蔵室１８に導かれる。
【００３６】
この貯蔵室１８にはサンプルとしての鉱物１９が収納されていて、この鉱物１９は導入する地下水と反応するようになっている。これは地下の岩石を直接的には採取はできないので、CO2の影響をサンプルの鉱物１９により、実環境に近い状態を再現して試験を行い、地中状態を検証しようとするものである。この鉱物流体反応ユニット１１と、第１逆止弁１７とフィルタ１６のセット部とは、接続部２０を介して連結されている。第１逆止弁１７は、地中側からのみサンプラー１内に地下水を導入するようにするための弁である。内部に取り込まれた地下水をサンプラー１外に逆流するのを防止する機能を有している。
【００３７】
本実施の形態は、地下水導入部に第１逆止弁１７を使用したが、他の方法として、内外の流体の圧力差を利用し破壊可能なラプチャーディスクの使用も考えられる。地下水導入時に、圧力差を利用して、即ち地下水の流体圧でラプチャーディスクを破壊させ、地下水をサンプラー１内に取り込む方法である（非特許文献１参照）。この方法は本出願人も試みたが、前述のように地中深度により正確な圧力差の設定が難しく、破壊位置が必ずしも当初予定の所要位置であるとは限らない場合があった。このため安定性を欠き、正確で安定して深度位置の地下水を採水できない難点があったので推奨できない。
【００３８】
鉱物流体反応ユニット１１は、前述したようにサンプルとしての鉱物１９が収納され、導入される地下水と反応させるためのユニットである。CO2は帯水層２に圧送されると、CO2は超臨界状態となり地中に貯留される。貯留されたCO2は移動すると、周辺の地下水に溶け、地下水はCO2飽和溶解溶液となる。このCO2飽和溶解溶液が岩盤と反応すると、方解石（炭酸塩鉱物）の溶解等の溶解反応が生じ、岩石の隙間が大きくなり、地下水が貯留しやすくなる。
【００３９】
鉱物流体反応ユニット１１は、例えばＣａを含む鉱物に、地下より採水したCO2飽和溶解溶液を浸すことにより、この鉱物１９の化学反応の状況をみるためのものである。この鉱物流体反応ユニット１１内に採水した地下水を直接浸すことで、鉱物１９の試験前の物性との比較等を行い、帯水層２の地下水状況を評価するというものである。
【００４０】
地中の岩石は、CO2飽和溶解溶液に浸されると溶解し、CaやMgが岩石から溶出する。CO2飽和溶解溶液中のＣａやＭｇ等が溶液に対し過飽和となると、温度、圧力変化等の条件を経て炭酸塩鉱物が晶出する。この晶出に伴い、岩石の隙間がこの晶出した炭酸塩で塞がれることになるので、この晶出の成長状態を試験すれば地中の様子が確認できることになる。鉱物流体反応ユニット１１を介して導入された地下水は、次に第１開閉弁２１，２２を介して流体採取ユニット１２の貯蔵室２３に導かれる。
【００４１】
第１開閉弁２１，２２は、鉱物流体反応ユニット１１と流体採取ユニット１２との端部間に対向し直列で２連の構成で配置されている。この対向する２連の第１開閉弁２１，２２の中間部に第１接続部２４が設けられている。図示はしていないが、実際はこれら第１開閉弁２１，２２と第１接続部２４は、鉱物流体反応ユニット１１と前記流体採取ユニット１２との間でパイプにより連結されている。第１接続部２４を取り外して、鉱物流体反応ユニット１１の貯蔵室１８からサンプル９及び地下水を取り出すことができる。
【００４２】
又、本実施の形態において図示していないが、第１接続部２４は着脱自在のジョイントとしている。第１開閉弁２１，２２は、サンプラー１がボーリング孔９に挿入されるときは開放状態となっている。流体採取ユニット１２は、深度所定位置の状態の地下水のみを採取するもので、地下水中のCO2の状況を単独で試験することができる。この流体採取ユニット１２は、地下水自体の試験に必要とするもので、一般的にはこのユニットに相当する装置のみを具備して採水し試験を行うことが多い。次に流体採取ユニット１２を介して導入された地下水は、前述の第１開閉弁２１，２２と同構成の第２開閉弁２５，２６を介して、バッファユニット１３の貯蔵室２７に導かれる。
【００４３】
第２開閉弁２５，２６は、流体採取ユニット１２とバッファユニット１３との端部間に対向し直列で２連の構成で配置されている。この対向する２連の第２開閉弁２５，２６の中間部に、前述の第１接続部２４と同様の第２接続部２８が設けられている。第１接続部２４及び第２接続部２８を取り外すことにより、流体採取ユニット１２を取り出し、この貯蔵室２３内の地下水を取り出すことができる。これら第２開閉弁２５，２６と第２接続部２８も、実際は流体採取ユニット１２とバッファユニット１３との間でパイプにより連結されている。
【００４４】
又、第２接続部２８も第１接続部２４と同様に図示していないが、実際は着脱自在のジョイントとしている。第２開閉弁２５，２６も、サンプラー１がボーリング孔９に挿入されるときは開放状態となっている。バッファユニット１３も地下水のみを貯蔵するユニットではあるが、流体採取ユニット１２に貯蔵する地下水を完全な状態に維持させるために設けられているものである。このバッファユニット１３内には第２逆止弁２９が配置されていて、貯蔵された地下水が外部に流出するのを防止している。第２逆止弁２９の形状は、先端が円形の平で、この平に続いて、断面形状が円錐で、この円錐に連続して円筒である。
【００４５】
第２逆止弁２９は、ゴム等の弾性材料で作られたものである。従って、地底からの地下水がバッファユニット１３内を満たしてくると、第２逆止弁２９を下から押し上げる方向に力がかかる。地上からの不活性ガス等の流体は、第２逆止弁２９を通すことになる。なお、本実施の形態では、この第２逆止弁２９をバッファユニット１３の貯蔵室２７内に設けた構成にしているが、バッファユニット１３外に設けた構成であってもよい。バッファユニット１３の端部には、導管３０、第３接続部３１を介してキャピラリーチューブ３２が取り付けられている。
【００４６】
このキャピラリーチューブ３２は、地上の不活性ガス供給装置３３に連結していて、不活性ガスを送り込むためのものである。地上の施設には、不活性ガス供給装置３３以外に、サンプラー１を昇降させる装置３４、又、図示していないが不活性ガスのガス圧を制御する圧力制御装置等が配置さている。このサンプラー１は、以上のような構成になっているが、次に地下水の採水方法について説明する。
【００４７】
［運転方法］
先ず、このサンプラー１をボーリング孔９内に挿入する前に、第１開閉弁２１，２２と第２開閉弁２５，２６を開放状態にしておく。次にサンプラー１内に不活性ガス供給装置３３からキャピラリーチューブ３２を通して不活性ガスであるヘリウムガスを送り込む。このヘリウムガスは、地中深度にある地下水の流体圧より高い圧力になるよう制御されてサンプラー１内に送り込まれる。
【００４８】
キャピラリーチューブ３２を通して送り込まれたヘリウムガスは、バッファユニット１３内の第２逆止弁２９を押し開いてバッファユニット１３内の貯蔵室２７に導入される。ヘリウムガスは続いて流体採取ユニット１２、鉱物流体反応ユニット１１を介してサンプラー１の下端にある第１逆止弁１７に到達し、この第１逆止弁１７がガス圧で作動し押圧されて導入口を閉じ、サンプラー１内は閉塞状態となる。
【００４９】
これにより、サンプラー１内は全てのユニットが高い圧力のヘリウムガスで充満し保持されることになる。次に、このサンプラー１を地上の昇降装置３４でボーリング孔９の所定位置に降ろし挿入する。ボーリング孔９内の所定位置に達したとき、次にヘリウムガスの圧力を地下水の流体圧よりも低い圧力に減圧する。即ち、地上に設置している圧力制御装置で内圧を少しづつ低下させるようにしている。ヘリウムガスが地下水との圧力差で平衡圧力より低下すると、サンプラー１下端の第１逆止弁１７が地下水に押圧されて開き、地下水がフィルタ１６を介してサンプラー１内部に導かれる。
【００５０】
導かれた地下水は鉱物流体反応ユニット１１、流体採取ユニット１２、バッファユニット１３と各室を順に満たし、最終的には第２逆止弁２９を閉じて地下水が外部に流出することなくサンプラー１内に充満し、充填状態を維持する。ヘリウムガスは地上部に戻される状態となる。このとき流体採取ユニット１２に導かれる地下水は鉱物流体反応ユニット１１を介して送り込まれた地下水となるが、この鉱物流体反応ユニット１１を通過するのは一瞬であり、反応した地下水が流体採取ユニット１２に送りこまれることにはならない。
【００５１】
サンプラー１がこのような状態になったときに、今度はヘリウムガスを地下水の流体圧よりも高い圧力にして、キャピラリーチューブ３２からサンプラー１内に送り込む。高い圧力のヘリウムガスは第２逆止弁２９を押し開いて送り込まれるが、内部には地下水が充満しているので、この地下水を押圧する状態で第１逆止弁１７を閉じる。従って、ヘリウムガスの圧力によりサンプラー１内の各ユニットの地下水は被圧状態で保持されることになる。
【００５２】
バッファユニット１３の地下水は直接試験に供することはなく、予備的機能を有するものである。次にこのような状態になったサンプラー１を一定時間経過した後に、地上の昇降装置３４により地上へ回収する。サンプラー１はこのような採水方法で採水する一体的構造のものであるが、地上で試験あるいは確認する場合には、第１開閉弁２１，２２及び第２開閉弁２５，２６を閉じた状態にして、第１接続部２４と第２接続部２８を分離すると、鉱物流体反応ユニット１１及び流体採取ユニット１２は、被圧状態を保持したまま、即ち地下深度にあった状態のまま、個別に単独で扱うことができる。
【００５３】
サンプラー１はこのように各装置が内臓された構成のものであるが、鉱物流体反応ユニットと流体採取ユニットとを入れ替えた形態であってもよい。以上、本発明の実施の形態について説明したが、本発明はこの形態に限定されることはなく、本発明の目的、趣旨を逸脱しない範囲内での変更が可能なことはいうまでもない。
【符号の説明】
【００５４】
１…サンプラー
２…帯水層
３…CO2発生源
４…注入井
５…不透水層
６…超臨界流体の固まり
７…炭酸塩化合物
８…観測井
９…ボーリング孔
１０…外筒体
１１…鉱物流体反応ユニット
１２…流体採取ユニット
１３…バッファユニット
１７…第１逆止弁
１９…鉱物
２１，２２…第１開閉弁
２４…第１接続部
２５，２６…第２開閉弁
２８…第２接続部
２９…第２逆止弁
３２…キャピラリーチューブ
３３…不活性ガス供給装置
【図１】
0005433523.tif 000002
【図２】
0005433523.tif 000003